(57)【要約】【課題】  光ディスクに設けられている信号記録層に記録されている信号の読み出し動作を行う光ピックアップ装置に組み込まれるとともにチルト調整を行うことが出来るレンズホルダーを提供する。【解決手段】  第１対物レンズ１と第２対物レンズ２とが光ディスクの径方向に併設搭載されているとともに４本の支持ワイヤーによって変位を可能に支持されたレンズホルダー３を備え、光ディスクの内周側に配置されている２本の内周側支持ワイヤー４ａの剛性と外周側に配置されている２本の外周側支持ワイヤー５ａの剛性とを相違させ、斯かる剛性の相違に伴うレンズホルダー３の傾斜動作によってレンズチルトを調整するように構成し、内周側支持ワイヤー４ａの剛性と外周側支持ワイヤー５ａの剛性との関係をディスクチルトに対するレンズチルト量の最も小さい光ディスクに合わせて調整する。【選択図】  図１
2012038373.tif 000002
【特許請求の範囲】
【請求項１】
波長が短い第１レーザー光を第１光ディスクに設けられている信号記録層に集光させる第１対物レンズと、波長が第１レーザー光より長い第２レーザー光を第２光ディスクに設けられている信号記録層に集光させるとともに波長が第２レーザー光より長い第３レーザー光を第３光ディスクに設けられている信号記録層に集光させる第２対物レンズとが光ディスクの径方向に併設搭載されているとともに４本の支持ワイヤーによって対物レンズの光軸方向及び該光軸方向に直交する方向である光ディスクの径方向への変位を可能に支持されたレンズホルダーを備えた光ピックアップ装置であり、光ディスクの内周側に配置されている２本の内周側支持ワイヤーの剛性と外周側に配置されている２本の外周側支持ワイヤーの剛性とを相違させ、斯かる剛性の相違に伴うレンズホルダーの傾斜動作によってレンズチルトを調整するように構成し、内周側支持ワイヤーの剛性と外周側支持ワイヤーの剛性との関係をディスクチルトに対するレンズチルト量の最も小さい光ディスクに合わせて設定するようにしたことを特徴とする光ピックアップ装置。
【請求項２】
内周側支持ワイヤーの剛性を外周側支持ワイヤーの剛性より強くしたことを特徴とする請求項１に記載の光ピックアップ装置。
【請求項３】
内周側支持ワイヤーの径を外周側支持ワイヤーの径より大きくすることによって剛性を設定するようにしたことを特徴とする請求項２に記載の光ピックアップ装置。
【請求項４】
内周側支持ワイヤーの材料と外周側支持ワイヤーの材料を相違させることによって剛性を設定するようにしたことを特徴とする請求項２に記載の光ピックアップ装置。
【請求項５】
内周側支持ワイヤーの有効可動長と外周側支持ワイヤーの有効可動長を相違させることによって剛性を設定するようにしたことを特徴とする請求項２に記載の光ピックアップ装置。
【発明の詳細な説明】
【技術分野】
【０００１】
本発明は、光ディスクに記録されている信号の読み出し動作や光ディスクに信号の記録動作をレーザー光によって行う光ピックアップ装置に関する。
【背景技術】
【０００２】
光ピックアップ装置から照射されるレーザー光を光ディスクに設けられている信号記録層に照射することによって信号の読み出し動作や信号の記録動作を行うことが出来る光ディスク装置が普及している。
【０００３】
光ディスク装置としては、ＣＤやＤＶＤと呼ばれる光ディスクを使用するものが一般に普及しているが、最近では記録密度を向上させた光ディスク、即ちＢｌｕ−ｒａｙ規格の光ディスクを使用するものが開発されている。
【０００４】
ＣＤ規格の光ディスクに記録されている信号の読み出し動作を行うレーザー光としては、例えば波長が７８０ｎｍである赤外光が使用され、ＤＶＤ規格の光ディスクに記録されている信号の読み出し動作行うレーザー光としては、例えば波長が６５０ｎｍの赤色光が使用されている。
【０００５】
そして、前記ＣＤ規格の光ディスクにおける信号記録層の上面、即ち信号記録層とレーザー光が入射する表面との間に設けられている保護層の厚さは１．２ｍｍであり、この信号記録層から信号の読み出し動作を行うために使用される対物レンズの開口数は０．４５と規定されている。また、ＤＶＤ規格の光ディスクにおける信号記録層の上面に設けられている保護層の厚さは０．６ｍｍであり、この信号記録層から信号の読み出し動作を行うために使用される対物レンズの開口数は０．６と規定されている。
【０００６】
斯かるＣＤ規格及びＤＶＤ規格の光ディスクに対して、Ｂｌｕ−ｒａｙ規格の光ディスクに記録されている信号の読み出し動作を行うレーザー光としては、波長が短いレーザー光、例えば波長が４０５ｎｍの青紫色光が使用されている。
【０００７】
Ｂｌｕ−ｒａｙ規格の光ディスクにおける信号記録層の上面に設けられている保護層の厚さは、０．１ｍｍであり、この信号記録層から信号の読み出し動作を行うために使用される対物レンズの開口数は、０．８５と規定されている。
【０００８】
最近では、前述したＣＤ規格及びＤＶＤ規格の光ディスクだけでなく、Ｂｌｕ−ｒａｙ規格の光ディスクも使用することが出来る光ディスク装置の製品化が行われている。斯かる光ディスク装置に使用される光ピックアップ装置は、全ての使用可能な規格の光ディスクに設けられている信号記録層から信号の読み出し動作や該信号記録層への信号の記録動作を行うことが出来るように構成されることになる。
【０００９】
斯かる光ピックアップ装置は、前述した波長のレーザー光を単一の対物レンズにて光ディスクの信号記録層に照射させることが困難であるため、例えばＣＤ規格及びＤＶＤ規格の光ディスクに設けられている信号記録層にレーザー光を集光させる対物レンズとＢｌｕ−ｒａｙ規格の光ディスクに設けられている信号記録層にレーザー光を集光させる対物レンズの２つの対物レンズが使用されることになる（特許文献１参照。）。
【００１０】
光ピックアップ装置では、周知のようにレーザーダイオード等から放射されるレーザー光を光ディスクに設けられている信号記録層に集光させる対物レンズを備えており、斯か
る対物レンズは光ディスクの信号面に対して直角方向、即ち対物レンズの光軸方向及び光ディスクの径方向、即ち光軸方向に対して直交する方向への変位動作を行うことが出来るように構成されている。
【００１１】
前述した対物レンズの光軸方向、一般的にはフォーカシング方向と呼ばれる方向への変位動作は、フォーカシングコイルへ制御信号を供給するフォーカス制御動作と呼ばれる駆動制御動作によって行われ、光軸方向に直交する方向、一般的にはトラッキング方向と呼ばれる方向への変位動作はトラッキングコイルへ制御信号を供給するトラッキング制御動作と呼ばれる駆動制御動作によって行われる。
【００１２】
前述した対物レンズのフォーカシング方向及びトラッキング方向への変位動作を行うために複数、一般的には４本の支持ワイヤーによって支持されたレンズホルダーと呼ばれる部材に対物レンズは搭載されている。
【００１３】
斯かる構成のレンズホルダーが組み込まれた光ピックアップ装置によって光ディスクに記録されている信号の再生動作等を行う場合には、前述したフォーカス制御動作及びトラッキング制御動作を行うためにレンズホルダーの変位制御動作が行われることになる。フォーカス制御動作によってレンズホルダーのフォーカシング方向への変位動作は行われるが、レンズホルダーの変位動作はディスク面が正しい位置、即ち光軸がディスク面に対して垂直な関係にあることを想定して行われるので、光ディスクの面が反っている場合には対物レンズの光軸がずれることになる。
【００１４】
斯かる光軸のずれを補正する方法として光軸の角度調整を行うためのチルトコイルをレンズホルダーに設け、該チルトコイルに駆動信号を供給することによってレンズホルダーの傾きを調整し、光軸の補正動作、即ちチルト調整を行うように構成された光ピックアップ装置が開発されている。
【００１５】
レンズホルダーを支持する４本の支持ワイヤーの中の内周側にある２本の支持ワイヤーの剛性を外周側の支持ワイヤーの剛性と比較して強くすることによって前述したチルト調整を行うようにした技術が開発されている(特許文献２参照。)。
【先行技術文献】
【特許文献】
【００１６】
【特許文献１】特開平１１−２３９６０号公報
【特許文献２】特開２００３−２２８８６４号公報
【発明の概要】
【発明が解決しようとする課題】
【００１７】
特許文献２に記載されている技術を第１対物レンズと第２対物レンズの２つの対物レンズが搭載されているレンズホルダーが組み込まれた光ピックアップ装置に実施する場合各光ディスクに対するレンズホルダーの傾斜角度の調整特性が大きく相違するため支持ワイヤーの剛性調整を容易に行うことが出来ないという問題がある。
【００１８】
本発明は、斯かる問題を解決することが出来る光ピックアップ装置を提供しようとするものである。
【課題を解決するための手段】
【００１９】
本発明は、波長が短い第１レーザー光を第１光ディスクに設けられている信号記録層に集光させる第１対物レンズと、波長が第１レーザー光より長い第２レーザー光を第２光ディスクに設けられている信号記録層に集光させるとともに波長が第２レーザー光より長い
第３レーザー光を第３光ディスクに設けられている信号記録層に集光させる第２対物レンズとが光ディスクの径方向に併設搭載されているとともに４本の支持ワイヤーによって対物レンズの光軸方向及び該光軸方向に直交する方向である光ディスクの径方向への変位を可能に支持されたレンズホルダーを備え、光ディスクの内周側に配置されている２本の内周側支持ワイヤーの剛性と外周側に配置されている２本の外周側支持ワイヤーの剛性とを相違させ、斯かる剛性の相違に伴うレンズホルダーの傾斜動作によってレンズチルトを調整するように構成し、内周側支持ワイヤーの剛性と外周側支持ワイヤーの剛性との関係をディスクチルトに対するレンズチルト量の最も小さい光ディスクに合わせて設定するようにしたことを特徴とするものである。
【００２０】
また、本発明は、内周側支持ワイヤーの剛性を外周側支持ワイヤーの剛性より強くしたことを特徴とするものである。
【００２１】
そして、本発明は、内周側支持ワイヤーの径を外周側支持ワイヤーの径より大きくすることによって剛性を設定するようにしたことを特徴とするものである。
【００２２】
また、本発明は、内周側支持ワイヤーの材料と外周側支持ワイヤーの材料を相違させることによって剛性を設定するようにしたことを特徴とするものである。
【００２３】
そして、本発明は、内周側支持ワイヤーの有効可動長と外周側支持ワイヤーの有効可動長を相違させることによって剛性を設定するようにしたことを特徴とするものである。
【発明の効果】
【００２４】
本発明の光ピックアップ装置は、波長が短い第１レーザー光を第１光ディスクに設けられている信号記録層に集光させる第１対物レンズと、波長が第１レーザー光より長い第２レーザー光を第２光ディスクに設けられている信号記録層に集光させるとともに波長が第２レーザー光より長い第３レーザー光を第３光ディスクに設けられている信号記録層に集光させる第２対物レンズとが光ディスクの径方向に併設搭載されているとともに４本の支持ワイヤーによって対物レンズの光軸方向及び該光軸方向に直交する方向である光ディスクの径方向への変位を可能に支持されたレンズホルダーを備え、光ディスクの内周側に配置されている２本の内周側支持ワイヤーの剛性と外周側に配置されている２本の外周側支持ワイヤーの剛性とを相違させ、斯かる剛性の相違に伴うレンズホルダーの傾斜動作によってレンズチルトを調整するように構成し、内周側支持ワイヤーの剛性と外周側支持ワイヤーの剛性との関係をディスクチルトに対するレンズチルト量の最も小さい光ディスクに合わせて設定するようにしたので、内周側支持ワイヤーの剛性と外周側支持ワイヤーの剛性との関係を全ての光ディスクに適した関係になるように調整することが出来る。
【００２５】
このように、本発明によれば、レンズホルダーを支持する内周側支持ワイヤーの剛性と外周側支持ワイヤーの剛性との関係を全ての光ディスクに対して良好な関係になるように設定することが出来るので、チルト調整用のコイルをレンズホルダーに組み込み、該チルト調整用コイルに駆動信号を供給することによってチルト調整を行うように構成された光ピックアップ装置に組み込んだ場合にも各光ディスクの特性に対応したチルト調整動作を正確に行うことが出来る。
【図面の簡単な説明】
【００２６】
【図１】本発明に係る光ピックアップ装置の要部を示す平面図である。
【図２】本発明に係る光ピックアップ装置の要部を示す断面図である。
【図３】レンズチルト量とディスクチルト量との関係を示す図である。
【図４】本発明に係る光ピックアップ装置の要部を示す平面図である。
【発明を実施するための形態】
【００２７】
第１光ディスクに設けられている信号記録層に第１レーザー光を集光させる第１対物レンズと第２光ディスクに設けられている信号記録層に第２レーザー光を集光させるとともに第３光ディスクに設けられている信号記録層に第３レーザー光を集光させる第２対物レンズとが同一のレンズホルダーに搭載されている光ピックアップ装置に採用される。
【実施例１】
【００２８】
図１は本発明に係る光ピックアップ装置の要部を示す平面図、図２は本発明に係る光ピックアップ装置の要部を示す断面図である。尚、本実施例では第１光ディスクをＢｌｕ−ｒａｙ規格の光ディスク、第２光ディスクをＤＶＤ規格の光ディスク、第３光ディスクをＣＤ規格の光ディスクとして説明する。
【００２９】
図において、１は第１光ディスクに設けられている信号記録層に例えば波長が４０５ｎｍである第１レーザー光を集光させる第１対物レンズ、２は第２光ディスクに設けられている信号記録層に例えば波長が６５０ｎｍである第２レーザー光を集光させるとともに第３光ディスクに設けられている信号記録層に例えば波長が７８０ｎｍの第３レーザー光を集光させる第２対物レンズである。
【００３０】
３は前記第１対物レンズ１及び第２対物レンズ２が光ディスクの径方向に併設搭載されているレンズホルダーであり、前記第１対物レンズ１が光ディスクの内周側に配置されている。このように第１対物レンズ１及び第２対物レンズ２は前記レンズホルダー３上に配置されているが、第１対物レンズ１の光軸中心点１ｃと第２対物レンズ２の光軸中心点２ｃとを結ぶ直線Ａは光ディスクの中心を通るように構成されている。
【００３１】
前記レンズホルダー３は内周側に配置されている２本の内周側支持ワイヤー４ａ、４ｂ及び外周側に配置されている２本の外周側支持ワイヤー５ａ、５ｂによって矢印Ｆで示すフォーカシング方向及び矢印Ｔで示すトラッキング方向への変位を可能に支持されている。
【００３２】
また、前記レンズホルダー３は前述したように内周側支持ワイヤー４ａ、４ｂ及び外周側支持ワイヤー５ａ、５ｂによってフォーカシング方向及びトラッキング方向への変位を可能に支持されており、斯かる構成によればレンズホルダー３の中心点Ｐを中心として矢印Ｒで示す方向へ回動可能に支持されることになる。この矢印Ｒ方向にレンズホルダー３を回動させることによって第１対物レンズ１の光軸を第１光ディスクの面に対して傾斜させることが出来るとともに第２対物レンズ２の光軸を第２光ディスク及び第３光ディスクの面に対して傾斜させることが出来る。
【００３３】
レンズホルダー３を矢印Ｒ方向に回動させることによって第１対物レンズ１の第１光ディスクに対する光軸の角度及び第２対物レンズ２の第２光ディスク及び第３光ディスクに対する光軸の角度を調整する動作、即ちチルト調整動作を行うことが出来る。
【００３４】
図１及び図２より明らかなように内周側支持ワイヤー４ａ、４ｂの径は外周側支持ワイヤー５ａ、５ｂの径よりも大きくなるように構成されている。即ち、内周側支持ワイヤー４ａ、４ｂと外周側支持ワイヤー５ａ、５ｂとが同一の材料にて製造されている場合には、内周側支持ワイヤー４ａ、４ｂの剛性は外周側支持ワイヤー５ａ、５ｂの剛性よりも強くなる。
【００３５】
内周側支持ワイヤー４ａ、４ｂの剛性が外周側支持ワイヤー５ａ、５ｂの剛性よりも強くなるように設定された支持ワイヤーによって支持されているレンズホルダー３が組み込まれた光ピックアップ装置において、レンズホルダー３に設けられているフォーカシング
コイルに駆動信号が供給されると該レンズホルダー３は光ディスクの面に対して直角方向である矢印Ｆ方向に変位せしめられるが、このとき内周側支持ワイヤー４ａ、４ｂの剛性と外周側支持ワイヤー５ａ、５ｂの剛性との相違によってレンズホルダー３が矢印Ｒ方向へ回動変位することになる。
【００３６】
即ち、光ディスクの面が上方へ反った場合には、フォーカシングコイルに供給される駆動信号によってレンズホルダー３は上方への変位力を受けて上方へ変位するが、このとき内周側支持ワイヤー４ａ、４ｂの剛性が外周側支持ワイヤー５ａ、５ｂの剛性よりも強くなるように設定されているので、レンズホルダー３の外周側の方が内周側よりも大きく上方へ変位することになる。斯かる動作が行われる結果、レンズホルダー３は中心点Ｐを中心として時計方向に回動することになり、対物レンズの光ディスクに対する光軸が傾斜されることになる。
【００３７】
また、反対に光ディスクの面が下方へ反った場合には、フォーカシングコイルに供給される駆動信号によってレンズホルダー３は下方への変位力を受けて下方へ変位するが、このとき内周側支持ワイヤー４ａ、４ｂの剛性が外周側支持ワイヤー５ａ、５ｂの剛性よりも強くなるように設定されているので、レンズホルダー３の外周側の方が内周側よりも大きく変位することになる。斯かる動作が行われる結果、レンズホルダー３は中心点Ｐを中心として反時計方向に回動することになり、対物レンズの光ディスクに対する光軸が傾斜されることになる。
【００３８】
前述したレンズホルダー３の中心点Ｐを中心とする回動変位動作が行われると、対物レンズの光軸の光ディスクに対する角度が変更されるので、光ディスクの面に対する対物レンズの光軸角度を調整する動作、所謂チルト調整動作を行うことが出来る。
【００３９】
以上に説明したように斯かる構成のレンズホルダーにおけるチルト調整動作は行われるが、第１光ディスク、第２光ディスク及び第３光ディスクにおけるディスクチルト量、即ちディスクの反り量に対するレンズチルト量、即ちレンズの傾斜角度の調整量との関係について図３を参照して説明する。
【００４０】
同図において、一点鎖線Ｂは第１光ディスクであるＢｌｕ−ｒａｙ規格の光ディスクの特性図、実線Ｄは第２光ディスクであるＤＶＤ規格の光ディスクの特性図、破線Ｃは第３光ディスクであるＣＤ規格の光ディスクの特性図である。
【００４１】
斯かる各光ディスクの特性の差は、使用されるレーザー光の波長及び各光ディスクにおける保護層、即ち光ディスクの表面と信号記録層との間に設けられている透明な層の厚さ基づいて現れるものである。
【００４２】
図３に示す特性図より明らかなように同一のディスクチルト量、即ち光ディスクの反り量が同じ場合には、その反りを補正するために対物レンズの光軸の角度を変更する量の大きさは、ＣＤ規格の光ディスク、Ｂｌｕ−ｒａｙ規格の光ディスク、ＤＶＤ規格の光ディスクの順に小さくなる。
【００４３】
本発明の光ピックアップ装置は、斯かるディスクチルトとレンズチルトの関係に基づいて成されたものであり、最もレンズチルト量が小さくて済むＤＶＤ規格の光ディスクのチルト調整を行う場合に適したチルト調整動作が行われるように内周側支持ワイヤー４ａ、４ｂの剛性と外周側支持ワイヤー５ａ、５ｂの剛性との関係を設定したことを特徴とするものである。
【実施例２】
【００４４】
図４は本発明に係る実施例２の光ピックアップ装置の要部を示す平面図であり、図１に示した実施例と同一のものには同一の番号を付している。同図において、６は内周側支持アーム４ａを支持する内周側支持ワイヤー用ダンパー部、７は外周側支持ワイヤー５ａを支持する外周側支持ワイヤー用ダンパー部である。
【００４５】
斯かる図面より明らかなように内周側支持ワイヤー４ａの有効可動長の方が外周側支持ワイヤー５ａの有効可動長よりも短くなるように構成されている。即ち、内周側支持ワイヤー４ａと外周側支持ワイヤー５ａの材料及び径が同一の場合には、有効可動長が短い内周側支持ワイヤー４ａの剛性の方が外周側支持ワイヤー５ａの剛性より強くなるので、実施例１と同様のチルト調整動作を行うことが出来る。
【実施例３】
【００４６】
内周側支持ワイヤー４ａの剛性の方を外周側支持ワイヤー５ａの剛性より強くする方法として実施例１では、支持ワイヤーの径を相違させ、実施例２では支持ワイヤーの有効可動長を相違させるように構成したが、内周側支持ワイヤー４ａの材料と外周側支持ワイヤー５ａの材料を相違させることによって剛性を相違させるように構成することも出来る。
【００４７】
例えば、内周側支持ワイヤー４ａをベリリウム銅にて製造し、外周側支持ワイヤー５ａをベリリウム銅よりも縦弾性係数の小さいリン青銅にて製造することが出来る。
【産業上の利用可能性】
【００４８】
第１対物レンズ１にて集光される波長が短い第１レーザー光として青紫色のレーザー光を使用してＢｌｕ−ｒａｙ規格の光ディスクに記録されている信号の読み出し動作を行い、第２対物レンズ２にて集光される波長が長い第２レーザー光として赤色のレーザー光を使用してＤＶＤ規格の光ディスクに記録されている信号の読み出し動作を行うとともに該第２対物レンズ２にて集光される波長が更に長い第３レーザー光として赤外光であるレーザー光を使用してＣＤ規格の光ディスクに記録されている信号の読み出し動作を行う光ピックアップ装置について説明したが、その他の波長のレーザー光を使用する光ピックアップ装置に利用することも出来る。
【符号の説明】
【００４９】
１      第１対物レンズ
２      第２対物レンズ
３      レンズホルダー
４ａ、４ｂ    内周側支持ワイヤー
５ａ、５ｂ    外周側支持ワイヤー
【図１】
2012038373.tif 000003
【図２】
2012038373.tif 000004
【図３】
2012038373.tif 000005
【図４】
2012038373.tif 000006